(57)【要約】【課題】軸受の潤滑媒体が作動流体の蒸気に混入して生じる圧縮機翼のエロージョンの発生を抑制し、熱利用設備へ直接供給可能な高純度な蒸気を生成して、信頼性に優れたヒートポンプ装置及びその制御方法を提供する。【解決手段】水蒸気を作動流体とし水蒸気を圧縮するターボ式の圧縮機（１段圧縮機３３，２段圧縮機３２）、熱源から熱を回収して液水を蒸発させ水蒸気を生成する蒸発器４２とを備えたヒートポンプ装置であって、圧縮機の回転軸の軸受を磁気軸受（第１磁気軸受１，第２磁気軸受２）とする。【選択図】図１
2007218507.tif 000002
【特許請求の範囲】
【請求項１】
水蒸気を作動流体とし該水蒸気を圧縮するターボ式の圧縮機，熱源から熱を回収して液水を蒸発させ水蒸気を生成する蒸発器とを備えたヒートポンプ装置であって、
該圧縮機の回転軸の軸受を磁気軸受とすることを特徴とするヒートポンプ装置。
【請求項２】
水蒸気を作動流体とし該水蒸気を圧縮するターボ式の圧縮機，熱源から熱を回収して液水を蒸発させ水蒸気を生成する蒸発器とを備えたヒートポンプ装置であって、
該圧縮機の回転軸の軸受を磁気軸受とし、
前記磁気軸受を冷却する冷却媒体を磁気軸受へ供給する冷却媒体供給装置を有することを特徴とするヒートポンプ装置。
【請求項３】
水蒸気を作動流体とするターボ式の圧縮機，圧縮機を駆動する駆動機，熱源から熱を回収して液水を蒸発させる蒸発器を備えたヒートポンプ装置において、
該圧縮機の軸受を磁気軸受とし、
該磁気軸受に蒸気が通過する流路を設け、該流路を通して蒸気を磁気軸受内へ流通する構造を備えることを特徴とするヒートポンプ装置。
【請求項４】
水蒸気を作動流体とするターボ式の圧縮機，該圧縮機を駆動する駆動機，熱源から熱を回収して液水を蒸発させる蒸発器を備えたヒートポンプ装置において、
該圧縮機の軸受を磁気軸受とし、
該磁気軸受と該蒸発器とを連通する流路を設け、該流路を通して該蒸発器内の蒸気を該磁気軸受内部に供給することを特徴とするヒートポンプ装置。
【請求項５】
請求項４に記載のヒートポンプ装置において、
該磁気軸受と該圧縮機の入口部を連通する流路を設け、該流路を通して該磁気軸受内の蒸気を該圧縮機の入口部に供給する構造とすることを特徴とするヒートポンプ装置。
【請求項６】
水蒸気を作動流体とするターボ式の圧縮機，該圧縮機を駆動する駆動機，熱源から熱を回収して液水を蒸発させる蒸発器を備えたヒートポンプ装置において、
圧縮機の軸受を磁気軸受とし、
該磁気軸受と圧縮機出口部を連通させる流路を設け、該流路を通して該圧縮機の出口部の蒸気を該磁気軸受に供給する構造とすることを特徴とするヒートポンプ装置。
【請求項７】
請求項６に記載のヒートポンプ装置において、
該磁気軸受と該圧縮機の入口部を連通させる流路を設け、該流路を通して該磁気軸受内の蒸気を該圧縮機の入口部に供給する構造とすることを特徴とするヒートポンプ装置。
【請求項８】
請求項３〜請求項７のいずれかに記載のヒートポンプ装置において、
蒸気を該磁気軸受へ流通させる経路に弁を設け、
該弁を制御することによって該磁気軸受への蒸気の流通を制御することを特徴とするヒートポンプ装置。
【請求項９】
請求項１〜請求項８のいずれかに記載のヒートポンプ装置において、
該磁気軸受内の水分を外部へ取り出すための、ドレンを設けることを特徴とするヒートポンプ装置。
【請求項１０】
水蒸気を生成する蒸発器と、生成された水蒸気を作動流体として該水蒸気を圧縮する圧縮機と、該圧縮機で圧縮された水蒸気を熱利用設備に供給可能な供給系統とを備え、該圧縮機の回転軸の軸受を磁気軸受とすることを特徴とするヒートポンプ装置。
【請求項１１】
水蒸気を生成する蒸発器と、生成された水蒸気を作動流体として該水蒸気を圧縮する圧縮機と、該圧縮機で圧縮された水蒸気を熱利用設備に供給可能な供給系統とを備えたヒートポンプ装置の制御方法であって、該圧縮機の回転軸の軸受を磁気軸受とし、回転軸の変位センサの測定値に基づき該磁気軸受の電磁力を制御することを特徴とするヒートポンプ装置の制御方法。
【発明の詳細な説明】
【技術分野】
【０００１】
本発明は、ヒートポンプ装置及びその制御方法に係わる。
【背景技術】
【０００２】
水を作動媒体としたターボ圧縮機によるヒートポンプシステムは、低温熱源を供給するものとして既に実用化されており、空調システムなどに利用されている。例えば、特開
２００１−１６５５１４号公報には一つの密閉された容器の中に、蒸発器，凝縮器，圧縮機および駆動モータを一体にパッケージングする技術が開示されている。また、特開昭
６３−２３１１５０号公報には、水を作動媒体としてヒートポンプにおいて１００℃以上の温水を供給する技術が開示されている。
【０００３】
【特許文献１】特開２００１−１６５５１４号公報
【特許文献２】特開昭６３−２３１１５０号公報
【発明の開示】
【発明が解決しようとする課題】
【０００４】
しかし、いずれの公知例においても、軸受部の潤滑媒体（油もくしは液水）の漏れ対策が十分でなく、多量の潤滑媒体を消費する可能性が高かった。また、潤滑媒体の液滴が、主流の蒸気に同伴されて圧縮機の翼に衝突し、エロージョンを発生させる可能性もあった。さらに、潤滑媒体として油を用いた場合には、主流の蒸気に油が混入することになり、純度の高い水蒸気が必要とされる食品の乾燥，煮沸などの熱利用設備などには、ヒートポンプの生成する熱を熱交換器により間接的に熱利用設備へ供給させる必要があった。このことは、熱交換器の追設による製造コストと設備の大型化を招くことになる。つまり、潤滑媒体の液滴が主流の蒸気に同伴され圧縮機の翼に衝突してエロージョンを発生させることを抑制し、ヒートポンプ吐出の水蒸気を熱利用設備へ直接供給できるような高純度な水蒸気を生成することが望まれる。
【０００５】
本発明の目的は、軸受の潤滑媒体が作動流体の蒸気に混入して生じる圧縮機翼のエロージョンの発生を抑制し、熱利用設備へ直接供給可能な高純度な蒸気を生成して、信頼性に優れたヒートポンプ装置及びその制御方法を提供することにある。
【課題を解決するための手段】
【０００６】
水蒸気を作動流体とし該水蒸気を圧縮するターボ式の圧縮機，熱源から熱を回収して液水を蒸発させ水蒸気を生成する蒸発器とを備え、該圧縮機の回転軸の軸受を磁気軸受とする。
【発明の効果】
【０００７】
本発明によると、軸受の潤滑媒体が作動流体の蒸気に混入して生じる圧縮機翼のエロージョンの発生を抑制し、熱利用設備へ直接供給可能な高純度な蒸気を生成して、信頼性に優れたヒートポンプ装置及びその制御方法を提供できる。
【発明を実施するための最良の形態】
【０００８】
本発明は、熱を供給するヒートポンプにおいて、蒸気で熱を供給する業務用及び産業用に適用可能である。特にヒートポンプの作動媒体として水（水蒸気）を採用し、圧縮機としてターボ式を用いたものに適用できる。
【０００９】
（実施例１）
図１を用い、本発明の実施例を詳細に説明する。図１は、本発明の一実施例であるヒートポンプ装置のシステム構成図を示す。本実施例のヒートポンプ装置は、主に、熱源から熱を回収して液水を蒸発させ水蒸気を生成する蒸発器４２，圧縮手段としての１段圧縮機３３及び２段圧縮機３２，圧縮機を回転駆動する駆動源１７，配管系統を備えている。更に、ヒートポンプシステムの構成部位として、熱を消費する熱利用設備２０、その熱利用設備に媒体を供給可能とする供給系統と温水系統４０を通る水を温める外部熱源（図示省略）を有している。
【００１０】
蒸発器４２に給水系統３１の弁３９を開き液水３５を供給する。蒸発器４２では、加熱手段である温水系統４０によって、液水３５を加熱して蒸気３６が生成される。この生成された蒸気３６は、１段圧縮機３３へ供給される。なお、本実施例で圧縮手段として、１段圧縮機３３及び２段圧縮機３２からなる２段式圧縮機としているが、２段式以外の圧縮機、例えば、１段圧縮機や、３段以上の圧縮機を使用しても良い。
【００１１】
圧縮手段である、１段圧縮機３３及び２段圧縮機３２は、回転中心軸３を回転軸として駆動源１７によって高速回転される。この回転中心軸３は、第１磁気軸受１，第２磁気軸受２によって支持されている。つまり、本実施例では、ヒートポンプ装置の圧縮手段の回転軸を回転可能に支持する軸受を、磁気軸受としている。
【００１２】
ここで、磁気軸受とは、電磁的な吸引力あるいは反発力によってロータを浮上させて支持する軸受であり、潤滑油が不要であり、また電磁的な吸引力あるいは反発力を適切に制御することで過大な軸振動の発生を抑制することができる軸受である。
【００１３】
図２に、軸振動を抑制する為の磁気軸受の制御回路の一例を示す。図２に示すように、圧縮機のロータ６３を磁気軸受によって支持している。この磁気軸受は、ロータ６３を浮上させる為の電磁的な吸引力あるいは反発力を発生させる為の電磁石６１，ロータ位置を測定する為の変位センサ６２ａ及び変位センサ６２ｂ，ロータ支持を制御する制御装置
６４，電磁石６１に必要な電磁力を伝達する為の回路６５を備えている。ロータ６３は、電磁石６１の電磁力によって浮上した状態で、回転方向６６に高速回転し、軸受によって支持される。主に、ヒートポンプ装置の制御では、回転軸であるロータ６３の変位センサ６２ａや変位センサ６２ｂの測定値に基づき、磁気軸受の電磁力を制御して、回転可能に支持している。本制御により、ヒートポンプ装置への磁気軸受の適用を可能とし、軸振動などの抑制も可能となる。
【００１４】
磁気軸受の制御手順は、ロータの位置を変位センサ６２ａや変位センサ６２ｂで測定して、その測定結果であるロータ位置情報を制御装置６４に送信する。ロータ仕様や制御装置６４では、送信されたロータ位置情報に基づき電磁石６１に必要な電磁力を算出し、回路６５を通して電磁石６１に必要な電磁力を伝達する。その電磁力によってロータを浮上させている。ここで、磁気軸受は、その電磁的作用により、軸受内部から発熱する。そのため、磁気軸受は軸受内部が１５０℃以下程度となるように冷却することが望ましい。
【００１５】
また、本実施例では、磁気軸受の冷却手段を設けている。磁気軸受を１５０℃以下に冷却するよう、別置の冷却媒体供給設備１１を設けている。冷却媒体供給設備１１から冷却媒体を第１磁気軸受１や第２磁気軸受２に供給している。冷却媒体としては、空気を使用するか、蒸気等その他の媒体を使用することも考えられる。
【００１６】
次に、ヒートポンプ装置における流体の流れについて説明する。給水系統３１を通過する媒体である水は、弁３９の開閉制御により、蒸発器４２に供給される。蒸発器４２において、温水系統４０である外部熱源（例えば８０℃程度）から熱が供給され、液水３５を蒸発させ水蒸気を生成する。この水蒸気は、１段圧縮機３３および２段圧縮機３２で昇圧，昇温化されて熱利用設備２０に供給される。圧力や温度条件の一例として、１段圧縮機３３の入口では０.２ata，６０℃程度、１段圧縮機３３出口では、１.０ata，１００℃程度、２段圧縮機３２の出口では、４ata，１４０℃程度の水蒸気となっている。
【００１７】
１段圧縮機３３および２段圧縮機３２の回転軸の軸端には駆動機として駆動源１７が接続され、水蒸気の圧縮に必要な圧縮動力を供給している。但し、駆動源１７に供給される電気の系統は図示を省略した。
【００１８】
本実施例のヒートポンプ装置の蒸発器４２は、外部熱源により温められた温水が通過する温水系統４０を有する。温水系統４０に供給される温水は、工場やごみ焼却場の排熱，河川，下水，大気などの未利用熱源を利用して生成されたものであることが望ましい。
【００１９】
図１の実施例では、温水系統４０の水と蒸発器４２の内部の水は直接的には接触しない間接式の熱交換器としているが、温水系統４０の温水と蒸発器４２内の液水が混合する直接接触式の熱交換器であっても良い。また、伝熱面として、蒸発器内に溜まった液水の中をチューブ式の配管を配置した熱交換器であっても、二相流式のプレート式熱交換器であっても、どちらでも良い。
【００２０】
以上のように、本実施例においては、回転軸の支持に磁気軸受を利用している。この為、油潤滑式軸受や、水潤滑式軸受に必要となる、潤滑媒体供給設備が必要ない。
【００２１】
また、油や液水などの潤滑媒体を使用しないため、軸受室内部の液滴が、作動媒体である蒸気中に流出して、主流の蒸気に同伴されて圧縮機の翼に衝突し、エロージョンを発生させることを抑制できる。
【００２２】
また、油潤滑式の軸受を利用したヒートポンプでは、軸受室内部の潤滑油が作動媒体である蒸気中に流出して、蒸気に潤滑油が混入する可能性がある。主流の蒸気に潤滑油が混入することで、純度の高い水蒸気が必要とされる食品の乾燥，煮沸などの熱利用設備などには、ヒートポンプの生成する熱を熱交換器により間接的に熱利用設備へ供給させる必要がある。このことは、熱交換器の追設による製造コスト増加と設備の大型化を招くことになる。
【００２３】
本発明においては、軸受部に磁気軸受を使用しているため、潤滑油を使用しない。この為、主流媒体である蒸気中に潤滑油が混入することが無く、純度の高い水蒸気が必要とされる熱利用設備施設においても、ヒートポンプによって生成される高温の蒸気を直接供給して使用することができ、熱交換器の追設による製造コスト増加と設備の大型化を抑制することができる。
【００２４】
従って、軸受の潤滑媒体が作動流体の蒸気に混入して生じる圧縮機翼のエロージョンの発生を抑制し、熱利用設備へ直接供給可能な高純度な蒸気を生成して、信頼性に優れたヒートポンプ装置及びその制御方法を提供できる。
【００２５】
（実施例２）
図３を用い、本発明の他の実施例を説明する。本実施例は、第１磁気軸受１と蒸発器
４２が連通するように流路６を設け、流路６内部に蒸発器４２から取り出した蒸気３６を流通させて第１磁気軸受１へ導いている。また同様に、第２磁気軸受２と蒸発器４２が連通するように流路７を設け、流路７内部に蒸発器４２から取り出した蒸気３６を流通させて第２磁気軸受２へ導いている。
【００２６】
第１磁気軸受１，第２磁気軸受２へ導入された蒸気３６は、磁気軸受の冷却に使用される。また、第１磁気軸受１と１段圧縮機３３の入口部が連通するように流路８が設けられており、同様に、第２磁気軸受２と１段圧縮機３３の入口部が連通するように流路９が設けられている。
【００２７】
第１磁気軸受１，第２磁気軸受２を冷却した蒸気３６は、上記流路８，９を通って１段圧縮機３３の入口部へ導入される。
【００２８】
磁気軸受は、その電磁的作用により、軸受内部から発熱する。通常、磁気軸受は軸受内部が１５０℃以下程度となるように冷却しなければならない。例えば、本実施例におけるヒートポンプの一例では、蒸発器４２内部の蒸気３６は、圧力０.２ata程度，温度６０℃程度であり、温度が十分低く、磁気軸受の冷却に適している。
【００２９】
更に、冷却後の蒸気は、１段圧縮機３３の入口部へ導入されるが、１段圧縮機３３の入口部圧力は、蒸発器４２内部の圧力より若干低い。この為、昇圧ポンプなどを設けなくても、磁気軸受冷却後の蒸気は自然に１段圧縮機３３の入口部へ流入する。
【００３０】
この為、別置の冷却媒体供給設備などの設置による、設備コスト増加，設備面積増加を抑制することができる。
【００３１】
更に、磁気軸受冷却によって冷却媒体に移動した熱量を、１段圧縮機３３の入口部へ回収している為、システム効率も向上する。
【００３２】
（実施例３）
図４を用い、本発明の他の実施例を説明する。本実施例は、１段圧縮機３３の出口流路に分岐点１２を設け、分岐点１２と第１磁気軸受１とが連通するように流路１３を設け、流路１３内部に１段圧縮機３３から取り出した蒸気を流通させて第１磁気軸受１へ導いている。また同様に、第２磁気軸受２と分岐点１２が連通するように流路１４を設け、流路１４内部に１段圧縮機３３から取り出した蒸気を流通させて第２磁気軸受２へ導いている。
【００３３】
流路１３，１４を通して第１磁気軸受１，第２磁気軸受２へ導入された蒸気は、磁気軸受の冷却に使用される。また、第１磁気軸受１と１段圧縮機３３の入口部が連通するように流路８が設けられており、同様に、第２磁気軸受２と１段圧縮機３３の入口部が連通するように流路９が設けられている。
【００３４】
第１磁気軸受１，第２磁気軸受２を冷却した蒸気は、上記流路８，９を通って１段圧縮機３３の入口部へ導入される。
【００３５】
１段圧縮機３３の出口部分の蒸気は、本発明によるヒートポンプの一例によれば、圧力１.０ata程度，温度１００℃程度であり、磁気軸受の冷却に使用できる。
【００３６】
また、冷却後の蒸気は、１段圧縮機３３の入口部へ導入されるが、１段圧縮機３３の入口部圧力は、蒸発器４２内部の圧力より若干低く、本実施例によるヒートポンプの一例によれば０.２ata以下である。
【００３７】
磁気軸受の蒸気入口側の圧力は１段圧縮機３３出口部分の圧力と同等となっており、磁気軸受の蒸気出口側圧力は、１段圧縮機３３の入口部と同等となっている。この為、磁気軸受の蒸気入口と蒸気出口の蒸気圧力の差が実施例２に比べて大きい為、昇圧ポンプなどを設けなくても、実施例２に比べて大流量の冷却蒸気が第１磁気軸受１，第２磁気軸受２を通過して、１段圧縮機３３の入口部へ流入する。
【００３８】
この為、別置の冷却媒体供給設備などの設置コスト，設置面積を低減することができる。更に、磁気軸受部冷却によって冷却媒体に移動した熱量を、１段圧縮機３３の入口部へ回収している為、システム効率も向上する。
【００３９】
また、実施例２に比べて冷却蒸気の温度は高いが、冷却蒸気の流量を大きくすることができるため、適切な設計をすれば、磁気軸受部の冷却能力は実施例２よりも高くなり、磁気軸受の信頼性を高めることができる。
【００４０】
（実施例４）
図５を用い、本発明の他の実施例を説明する。本実施例４のヒートポンプ装置は、蒸気を流通させる流路６に弁２１が、流路７に弁２２が設けられており、弁２１，弁２２の開閉によって磁気軸受への蒸気の流通の有無を制御することができる。
【００４１】
蒸気は、飽和蒸気温度以下になると液体に変化して、水分が発生する。この為、第１磁気軸受１，第２磁気軸受２の軸受雰囲気温度が飽和蒸気温度以下のときに蒸気を流通させると、水分を発生して、磁気軸受内に液滴（ドレン）が溜まる可能性がある。
【００４２】
液滴が発生すると、ロータ内に進入してアンバランスとなって、過大な軸振動を誘発したり、また、液滴が主流の蒸気中に流出して、蒸気に同伴されて圧縮機の翼に衝突し、エロージョンを発生させる可能性もある。
【００４３】
本実施例では、第１磁気軸受１，第２磁気軸受２内部の雰囲気温度を監視して、蒸気による液滴が発生しない温度まで内部温度が上昇した時に弁２１，２２を開き、冷却蒸気を磁気軸受内に流通させる。
【００４４】
１段圧縮機３３，２段圧縮機３２，弁２１，弁２２，第１磁気軸受１，第２磁気軸受２，蒸発器４２廻りにおける、上記の制御手順を、以下に時系列的に説明する。
【００４５】
まず、１段圧縮機３３，２段圧縮機３２を起動する前は、弁２１，弁２２は閉止されている。次に、１段圧縮機３３，２段圧縮機３２を起動する。第１磁気軸受１，第２磁気軸受２は起動直後は温度が低く、機器の設置場所の雰囲気温度と同等の温度となっている。
【００４６】
１段圧縮機３３，２段圧縮機３２を起動すると、ロータ回転のため、第１磁気軸受１，第２磁気軸受２の内部は徐々に温度が上昇する。ここで、第１磁気軸受１，第２磁気軸受２内部の温度が供給する蒸気の飽和蒸気温度以上となった時に、弁２１，弁２２を開く。実施例４において磁気軸受へ供給する蒸気は、蒸発器４２内部の蒸気３６であり、ヒートポンプの一例によると蒸気３６の飽和蒸気温度は６０℃程度である。
【００４７】
上記の制御では、飽和蒸気温度（６０℃）に達する前は、弁２１，２２を閉じて、磁気軸受１，２に冷却蒸気を流通させないこととなるが、磁気軸受は一般的に１５０℃程度の耐熱温度であるため、問題ない。
【００４８】
また、磁気軸受内部の温度が、供給する飽和蒸気温度以上となったときに、弁２１，
２２を開いて、第１磁気軸受１，第２磁気軸受２に冷却蒸気を流通させるため、軸受内部における蒸気の凝縮による液滴の発生を抑制することができる。
【００４９】
次に、圧縮機を停止する際の制御手順を時系列的に説明する。
【００５０】
まず、圧縮機の回転を停止させる。この際、回転の停止に伴って、磁気軸受の温度は徐々に低下する。
【００５１】
磁気軸受内部の温度を監視し、温度が磁気軸受の耐熱温度以下となった時点で弁２１，弁２２を閉止する。軸受の耐熱温度は一般的に１５０℃程度である為、弁を閉止する直前の雰囲気温度は、飽和蒸気温度以上である。この為、磁気軸受内部における蒸気の凝縮による液滴の発生を抑制することができる。
【００５２】
上記の制御によれば、磁気軸受内部における液滴の発生を抑制でき、過大な軸振動の発生や、圧縮機翼のエロージョンの発生を抑制することができる。
【００５３】
なお、本実施例における弁２１，弁２２は、実施例２に対する例として説明したが、実施例３のヒートポンプにも、蒸気の流路１３，流路１４に弁を設けることによって、同様の効果を得ることができる。
【００５４】
この際、磁気軸受に供給する冷却蒸気は、１段圧縮機出口の蒸気である為、冷却蒸気の飽和蒸気温度は実施例２とは異なる。この為、蒸気の流路１３，１４に設けた弁は、１段圧縮機出口の飽和蒸気温度以上となった時に開くこととなる。なお、ヒートポンプの一例によると、１段圧縮機出口の飽和蒸気温度は１００℃である。
【００５５】
（実施例５）
図６を用い、本発明の他の実施例を説明する。実施例５のヒートポンプ装置は、第１磁気軸受１内部の水分を外部へ取り出す為の、ドレン配管２３、第２磁気軸受２内部の水分を外部へ取り出す為のドレン配管２４を有している。
【００５６】
本実施例のヒートポンプ装置は、第１磁気軸受１，第２磁気軸受２を蒸気にて冷却する為、運転停止時に磁気軸受内部の温度が低下した際、磁気軸受内部の蒸気が凝縮して液滴が発生する可能性がある。
【００５７】
液滴が発生すると、磁気軸受内部に錆が発生すると言う問題や、液滴が残ったまま運転すると、液滴がロータ内に進入してアンバランスとなって、過大な軸振動を誘発したり、また、液滴が主流の蒸気中に流出して、蒸気に同伴されて圧縮機の翼に衝突し、エロージョンを発生させる可能性もある。
【００５８】
本実施例では、磁気軸受内部の水分を外部へ取り出す為のドレン配管２３，２４を有する為、液滴が発生しても、外部へ除去することができる。
【００５９】
この為、磁気軸受内部の液滴による、過大な軸振動の発生や、圧縮機翼のエロージョンの発生を抑制することができる。
【００６０】
なお、本実施例におけるドレン配管２３，２４は、実施例２に対する例として説明したが、実施例３のヒートポンプにも、第１磁気軸受１，第２磁気軸受２にドレン配管を設けることによって、同様の効果を得ることができる。
【図面の簡単な説明】
【００６１】
【図１】本発明の実施例１であるヒートポンプ装置のシステム構成図を示す。
【図２】本発明の実施例１であるヒートポンプ装置の磁気軸受の構成図を示す。
【図３】本発明の実施例１であるヒートポンプ装置のシステム構成図を示す。
【図４】本発明の実施例１であるヒートポンプ装置のシステム構成図を示す。
【図５】本発明の実施例１であるヒートポンプ装置のシステム構成図を示す。
【図６】本発明の実施例１であるヒートポンプ装置のシステム構成図を示す。
【符号の説明】
【００６２】
１…第１磁気軸受、２…第２磁気軸受、３…回転中心軸、６，７，８，９，１３，１４…流路、１１…冷却媒体供給設備、１２…分岐点、１７…駆動源、２０…熱利用設備、
２１，２２，３９…弁、２３，２４…ドレン配管、３１…給水系統、３２…２段圧縮機、３３…１段圧縮機、３５…液水、３６…蒸気、４０…温水系統、４２…蒸発器、６１…電磁石、６２ａ，６２ｂ…変位センサ、６３…ロータ、６４…制御装置、６５…回路、６６…回転方向。
【図１】
2007218507.tif 000003
【図２】
2007218507.tif 000004
【図３】
2007218507.tif 000005
【図４】
2007218507.tif 000006
【図５】
2007218507.tif 000007
【図６】
2007218507.tif 000008